(57)【要約】      （修正有）【課題】簡素な構成で、任意な角度で本体を傾斜させて設置できる卓上機能と本体の高さ調整が所定範囲内で可能な壁掛機能と、携帯が容易に行える携帯機能とを併せ持つ機器の把手機構を提供する。【解決手段】  手掛孔８と壁掛用係止孔９とを穿設し、本体の背面に上下摺動自在に収納される把手部７を設け、リアパネル２の切欠き２ａ両側に係止溝２ｃを上下方向に複数形成した段部２ｂを設け、前記把手部７の両側に備えられた係合ピン７ａを前記リアパネル２の係止溝２ｃに押圧する係止溝１０ｂを備え、スプリング１３に付勢される押圧板１０を設けて前記把手部７が移動、回動自在とともに、その拘束手段を備える。【選択図】図２
2007012743.tif 000002
【特許請求の範囲】
【請求項１】
係合手段を備え、機器本体の一側に付設される把手部と、前記機器本体に設けられ、前記係合手段を移動可能及び回動可能に支持する支持手段と、同支持手段に備えられ、回動を拘束する拘束手段とからなることを特徴とする機器の把手機構。
【請求項２】
前記係合手段が前記把手部の両側に突設された係合ピンからなる一方、前記支持手段が、前記機器本体に前後摺動自在に支持され、前記把手部側に付勢される押圧板と、前記機器本体側に形成され上下方向に延びる本体側挟持部とからなり、前記押圧板が、前記本体側挟持部と対向するように押圧板側挟持部を備え、前記機器本体側挟持部と前記押圧板側挟持部とで前記係合ピンを挟持するようにしたことを特徴とする請求項１に記載の機器の把手機構。
【請求項３】
前記係合ピンに複数の突起あるいは複数の溝を形成し、前記本体側挟持部及び押圧板側挟持部に、前記複数の突起あるいは複数の溝に嵌合する複数の溝あるいは複数の突起を形成して、前記係合ピンの回動を拘束することを特徴とする請求項２に記載の機器の把手機構。
【請求項４】
係合手段を備え、機器本体の一側に付設される把手部と、前記機器本体に設けられ、前記係合手段を移動可能及び回動可能に支持する支持手段と、同支持手段に備えられ、回動を拘束する拘束手段とからなる把手機構を備えた機器。
【発明の詳細な説明】
【技術分野】
【０００１】
本発明は、機器としての戸別防災受信機本体に備えられた把手機構に係わり、より詳細には、把手機能、壁掛け機能及びスタンド機構を兼ね備えた構成に関する。
【背景技術】
【０００２】
従来の戸別防災受信機は、例えば図６（Ａ）で示すように、本体３０の裏面に横方向から係止する係止爪３０ａと、縦方向から係止する係止爪３０ｂとを突出形成させ、又、これらに係止する係合溝を前面に形成した壁掛部材３１を別部材として備えている。同壁掛部材３１は両側に穿設された螺子孔３１ａにより、壁面の状態及びスペースに応じて縦方向あるいは横方向に螺着され、これに前記本体３０が前記係止爪３０ａあるいは前記係止爪３０ｂのいずれかにより係止されるようになっている。
【０００３】
しかしながら、戸別防災受信機は、緊急時において戸外に非難する際、前記壁掛部材３１により係止された前記本体３０を壁面から抜脱して携帯する必要があり、壁掛け機能とともに、緊急時に携帯が容易に行える把手機能が求められていた。又、通常時及び緊急時においても卓上に角度調整自在に立掛けることのできるスタンド機能も併せて求められていた。
【０００４】
卓上及び壁掛機能を備えた他の電子機器として、例えば図６（Ｂ）で示すように、多数の機能ボタン、ダイヤルボタン及び着脱自在なハンドセットを本体４０の上面に備えるとともに、その上方に液晶等からなる表示部４０ａを設けた電話機がある。前記本体４０の裏面には、係止用凹部を上下方向に一対となるように備えた膨出部４１が形成され、壁掛用として使用する場合には、壁面から突設させた係止金具に係止用凹部を係止させて固定するようになっている。又、前記膨出部４１の周囲には、一端を前記本体４０の裏面下部に枢支され、円弧状の凹部となる第一係合部４２ａと第二係合部４２ｂとを備えたアーム４２が設けられるとともに、前記本体４０の裏面中央部には、一端を枢支され、他端に前記アーム４２の第一係合部４２ａと第二係合部４２ｂとに係合するピンを備えたステー４３とが設けられている。卓上で使用する場合には前記アーム４２及び前記ステー４３を夫々回動させ、前記ピンをいずれかの係合部に係合させることにより前記本体４０を夫々の所定の角度で設置することができるようになっている。又、これらアーム４２及びステー４３は前記本体４０の裏面に収納すれば、壁掛設置の際、抜脱する必要がなく、又、抜脱した際の紛失の虞もない（例えば、特許文献１参照）。
【０００５】
しかしながら、上記構成は前記本体４０を任意の角度で卓上に設置することはできず、又、前記アーム４２及び前記ステー４３のような形状が複雑な部材を要し、壁掛設置の際も、壁面の係止金具を移動させないと本体４０の高さ調整が困難という問題があり、簡素な構成でこれらを行える電子機器が求められていた。又、上記したように戸別防災受信機等の電子機器は、卓上設置機能、壁掛機能とともに緊急時には携帯が容易に行える携帯機能が求められていた。
【０００６】
【特許文献１】特開２００４−２６６０８７号（４頁、図５）
【発明の開示】
【発明が解決しようとする課題】
【０００７】
本発明は、上記問題点に鑑み、簡素な構成でコストを低減できる一方、任意な角度で本体を傾斜させて設置できる卓上機能と、壁面に備えられた係止金具を移動させなくとも本体の高さ調整が所定範囲内で可能な壁掛機能と、緊急時には携帯が容易に行える携帯機能とを兼ね備えた把手機構、及び同把手機能を備えた機器を提供することを目的とする。
【課題を解決するための手段】
【０００８】
本発明は、上記課題を解決するため、係合手段を備え、機器本体の一側に付設される把手部と、前記機器本体に設けられ、前記係合手段を移動可能及び回動可能に支持する支持手段と、同支持手段に備えられ、回動を拘束する拘束手段とから構成されている。又、前記係合手段が前記把手部の両側に突設された係合ピンからなる一方、前記支持手段が、前記機器本体に前後摺動自在に支持され、前記把手部側に付勢される押圧板と、前記機器本体側に形成され上下方向に延びる本体側挟持部とからなり、前記押圧板が、前記本体側挟持部と対向するように押圧板側挟持部を備え、前記機器本体側挟持部と前記押圧板側挟持部とで前記係合ピンを挟持するようにした構成となっている。又、前記係合ピンに複数の突起あるいは複数の溝を形成し、前記本体側挟持部及び押圧板側挟持部に、前記複数の突起あるいは複数の溝に嵌合する複数の溝あるいは複数の突起を形成して、前記係合ピンの回動を拘束する構成となっている。又、係合手段を備え、機器本体の一側に付設される把手部と、前記機器本体に設けられ、前記係合手段を移動可能及び回動可能に支持する支持手段と、同支持手段に備えられ、回動を拘束する拘束手段とからなる把手機構を備えた機器を構成してなる。
【発明の効果】
【０００９】
本発明によると、手掛孔と壁掛用係止孔とを穿設し、本体の背面に上下摺動自在に収納される把手部を設け、リアパネルの切欠きに係止溝を上下方向に複数形成した段部を設け、前記把手部の両側に備えられたピンを前記リアパネルの係止溝に押圧する係止溝を備えた押圧板を設けて前記把手部を固定することにより、簡素な構成で、前記把手部を前記手掛孔が露出する程度に引き出した際は容易に本体を携帯でき、又、前記壁掛用係止孔により壁掛設置する際は本体の高さをある範囲で調節することができ、又、卓上設置する際は前記把手部を引き出すとともに回動させ固定することにより、本体を任意の角度で傾斜させて設置することのできる機能を兼ね備えた把手機構及び同把手機構を備えた機器とすることができる。
【発明を実施するための最良の形態】
【００１０】
以下、本発明の実施の形態を、添付図面に基づいた実施例として詳細に説明する。
【実施例１】
【００１１】
図１は本発明による把手機構を備えた電子機器としての戸別防災受信機を示す、正面図、背面図及び平面図であり、図２はその分解斜視図である。図３は背面側の断面図であり、図４はその動作を示す断面図である。又、図５は夫々の機能を示す正面図及び側面図である。
【００１２】
本発明による把手機構を備えた戸別防災受信機は、図１の正面図、背面図及び平面図で示すように、フロントパネル１と、同フロントパネル１に被着されるリアパネル２とで本体を構成している。同本体の前面一側にはスピーカ部３が設けられ、他側には同スピーカ部３からの音量を調節できる調節ツマミ４が前面側に突出するようにして設けられている。又、前面下部には、開閉蓋を着脱自在に備えた乾電池収納ユニット５が設けられ、同乾電池収納ユニット５は、単一乾電池、単二乾電池及び単三乾電池のいずれかの乾電池でも複数個の範囲で収納可能となるように形成されている。
【００１３】
戸別防災受信機は、災害発生時等において緊急災害通報及び避難支持通報等を特定発信局から受信すると内蔵された処理回路により自動的に起動し、通報内容を前記スピーカ部３を介して使用者に通知するようになっている。又、避難支持通報等を受信した際は、使用者は同戸別防災受信機を携帯して戸外に避難し、適宜連絡事項を受信することができるようになっている。
【００１４】
前記本体の背面上部には、特定発信局からの電波を受信する延伸自在且つ回動自在なアンテナ６がその基部を固定されており、又、本体の背面に形成された切欠部２ａには、手掛８と、その両側に壁掛用係止孔９を相対向するように穿設した把手部７が上下方向に移動自在となって収納されている。
【００１５】
前記本体は、図２の分解斜視図で示すように、後面が開放された矩形状の前記フロントパネル１と、同フロントパネル１に被着される、前面が開放されるとともに、上面から背面に掛けて矩形状に切欠き２ａを設けたフロントパネル２とから構成され、前記フロントパネル１の裏面には、前記アンテナ６に接続され信号を受信する受信回路と、前記スピーカ部３から音声を発する音声回路等を電子部品により構成した音声信号処理基板１１が設けられるようになっている。
【００１６】
前記リアパネル２の切欠き２ａの両側縁には、図２の斜視図及び図３の断面図で示すように、前方に膨出するように段部２ｂが形成され、同段部２ｂには上下方向に沿って複数の半円状の凹部からなり、その内壁面周上に、断面円弧状の小溝２ｄを左右方向に複数刻設した係止溝２ｃが左右一対となって形成されている。又、前記段部２ｂの外周側となる前記リアパネル２の内壁面には、図３で示すように、先端部に螺子孔を穿設し、後述する押出板１０のガイド孔１０ｃに挿通するガイドボス２ｅが前面に向けて複数突設されている。
【００１７】
前記把手部７は矩形状の平板からなり、その上方には、上記したように、略矩形状又は略楕円形状に穿設された手掛孔８と、その両側に、釣鐘状の壁掛用係止孔９とが備えられ、下部両側には、前記リアパネル２の段部２ｂに形成された係止溝２ｃと、後述する押圧板１０の係止溝１０ｂとに挟持される係合ピン７ａが突設されている。又、同係合ピン７ａの円周上には、前記係止溝２ｃに形成された小溝２ｄと、前記係止溝１０ｂに形成された小溝１０ｄとに嵌合する断面半円状の小突起７ｂが長手方向に沿って形成されており、これら小溝が前記把手部７の回動を拘束する拘束手段となっている。
【００１８】
押圧板１０は矩形状の平板に形成され、その四囲には前記リアパネル２の内壁面に突設されたガイドボス２ｅが挿通するガイド孔１０ｃが穿設され、前記把手部７に対向する裏面には、前記リアパネル２に形成された前記段部２ｂに対向して、左右一対の段部１０ａが形成されている。同段部１０ａには、前記段部２ｂと同様に半円状の凹部からなり、その内壁面周上に、断面円弧状の小溝１０ｄを左右方向に複数刻設した係止溝１０ｂが上下方向に沿って複数形成されており、同係止溝１０ｂを備えた押圧板１０及び前記リアパネル２及の係止溝２ｃを備えた段部２ｂが前記係合ピン７ａを挟持する挟持部を構成している。
【００１９】
次に、組立手順について説明する。まず、前記リアパネル２の切欠き２ａに、前記把手部７を矢印で示すように下方から挿通させ、前記係合ピン７ａを前記段部２ｂに形成された、いずれかの係止溝２ｃに当接させる。次に、図３で示すように、前記押圧板１０の前記ガイド孔１０ｃに前記リアパネル２のガイドボス２ｅを挿通させ、前記押圧板１０に形成された係止溝１０ｂと前記リアパネル２に形成された前記係止溝２ｃとで前記係合ピン７ａを挟持させるようにする。続いて、弦巻状に形成されたスプリング１３を前記ガイドボス２ｅに挿通させるとともに、同スプリング１３の端部を抑えるワッシャーを備えた螺子１２を前記ガイドボス２ｅ先端部の螺子孔に螺合させる。これにより、前記押圧板１０は前記スプリング１３により前記リアパネル２側へ付勢され、前記係合ピン７ａが係止溝２ｃと係止溝１０ｂとの間で押圧されるとともに、同係合ピン７ａの小突起７ｂが小溝２ｄと小溝１０ｄとに嵌合することにより前記係合ピン７ａは固定状態となり、その回動が拘束されるようになっており、これらで拘束手段を構成している。
【００２０】
次に、動作について説明する。前記把手部７を、図４で示すように、前記スプリング１３の押圧力に抗して、矢印で示すように上方に索引すると、前記係合ピン７ａが上方の係止溝２ｃ及び係止溝１０ｂ間に移動する。これにより、同把手部７は、設定された複数の高さ位置に引出し自在となっている。又、前記小突起７ｂが前記小溝２ｄと前記小溝１０ｄとに拘束される拘束力に抗して、前記係合ピン７ａを中心として把手部７を回動させ、小突起７ｄを他の任意の小溝２ｄ及び小溝１０ｄに嵌合させると、前記把手部７は設定された複数の所定角度で傾斜状態で固定されるようになっている。又、使用しない場合は、同把手部７は本体の裏面に収納することができるようになっている。
【００２１】
戸別防災受信機を携帯する場合は、図５（Ａ）で示すように、前記手掛孔８が露出する程度に前記手掛部７を本体から引き出す。これにより戸別防災受信機から緊急避難指示あるいは退避指示の連絡があった場合、老人又は子供でも、これを容易に携帯することができるようになっている。通常時、壁掛設置する場合は、図５（Ｂ）で示すように、前記手掛部７に穿設された壁掛用係止孔９を壁面の止金具１４に係止し、前記手掛部７の引出し量を調節すれば、調節可能な範囲で戸別防災受信機の本体を任意の高さに設置することができるようになっている。又、机上等に設置する場合は、図５（Ｃ）の矢印で示すように、前記手掛部７を上方に引き出すとともに、前記係合ピン７ａを中心として回動させ任意の角度で固定させて机上に立掛けることにより、本体を傾斜させて設置することのできるスタンド機構として前記手掛部７を機能させることができるようになっている。
【００２２】
以上、説明したように、簡素な構成で、携帯、壁掛設置及びスタンド機能を兼ね備えた機能性の向上した戸別防災受信機とすることができるようになっている。
【図面の簡単な説明】
【００２３】
【図１】本発明による戸別防災受信機を示す、正面図、背面図及び平面図である。
【図２】本発明による戸別防災受信機の分解斜視図である
【図３】戸別防災受信機の背面側の要部断面図である。
【図４】手掛部の動作を示す断面図である。
【図５】（Ａ）は携帯時の手掛部の状態を示す正面図である。  （Ｂ）は壁掛設置時の手掛部の状態を示す正面図である。  （Ｃ）は卓上設置時の状態を示す側面図である。
【図６】（Ａ）は従来の戸別防災受信機を示す斜視図である。  （Ｂ）は従来の電子機器のスタンド機構を示す側面図である。
【符号の説明】
【００２４】
１  フロントパネル
２  リアパネル
２ａ  切欠き
２ｂ  段部
２ｃ  係止溝
２ｄ  小溝  
２ｅ  ガイドボス
３  スピーカ部
４  調節ツマミ
５  乾電池収納ユニット
６  アンテナ
７  把手部
７ａ  係合ピン
７ｂ  小突起
８  手掛孔
９  壁掛用係止孔
１０  押圧板
１０ａ  段部
１０ｂ  係止溝  
１０ｃ  ガイド孔
１０ｄ  小溝
１１  処理基板
１２  螺子
１３  スプリング
【図１】
2007012743.tif 000003
【図２】
2007012743.tif 000004
【図３】
2007012743.tif 000005
【図４】
2007012743.tif 000006
【図５】
2007012743.tif 000007
【図６】
2007012743.tif 000008